(57)【要約】【課題】コラム扉の閉め切り操作をスムーズに行うことができる商品収納ラックを提供すること。【解決手段】左右方向に開閉可能、かつ、上下方向に摺動可能に支承したコラム扉８と、上面がコラム扉８の下端面を支持する下フレーム４とを備え、閉め切り位置で下フレーム４の上面からコラム扉８の下縁部８Ｄが下フレーム４の施錠溝４２に沈降し、コラム扉８の下縁部８Ｄと当接係合する商品収納ラックにおいて、コラム扉８の下端面が支承側から開放側に向けて漸次上あがりとなるように斜めに形成した。【選択図】        図７
2006251906.tif 000002
【特許請求の範囲】
【請求項１】
左右方向に開閉可能、かつ、上下方向に摺動可能に支承したコラム扉と、
上面がコラム扉の下端面を支持する下フレームと
を備え、
閉め切り位置で下フレームの上面からコラム扉の下縁部が沈降し、コラム扉の下縁部と下フレームとが当接係合する商品収納ラックにおいて、
前記コラム扉の下端面が支承側から開放側に向けて漸次上あがりとなるように形成したことを特徴とする商品収納ラック。
【発明の詳細な説明】
【技術分野】
【０００１】
本発明は、商品収納ラックに関し、特に、前面開口を閉塞するコラム扉を備えた商品収納ラックに関するものである。
【背景技術】
【０００２】
従来、コラム扉の閉め切り操作によって、コラム扉を閉め切り位置で施錠する商品収納ラックが知られている。この商品収納ラックは、左右方向に開閉可能、かつ上下方向に摺動可能に支承したコラム扉と、閉め切り位置でコラム扉の下縁部（ストッパ部）と当接係合する下フレームとを備えている。この商品収納ラックは、コラム扉の閉塞操作によって、コラム扉のストッパ部が下フレームを乗り越えて、閉め切り位置でコラム扉のストッパ部が下フレームと当接係合して施錠される（例えば、特許文献１参照）。
【０００３】
【特許文献１】特開平０９−０２２４８５号公報
【発明の開示】
【発明が解決しようとする課題】
【０００４】
しかしながら、上述した商品収納ラックは、コラム扉の閉め切り操作においてコラム扉の下縁部の開放側端部が下フレームに引っ掛かり、コラム扉の閉め切り操作を阻害するという課題が生じていた。
【０００５】
本発明は、上記実情に鑑みて、コラム扉の閉め切り操作をスムーズに行うことができる商品収納ラックを提供することを目的とする。
【課題を解決するための手段】
【０００６】
上記の目的を達成するために、本発明に係る商品収納ラックは、左右方向に開閉可能、かつ、上下方向に摺動可能に支承したコラム扉と、上面がコラム扉の下端面を支持する下フレームとを備え、閉め切り位置で下フレームの上面からコラム扉の下縁部が沈降し、コラム扉の下縁部と下フレームとが当接係合する商品収納ラックにおいて、前記コラム扉の下端面が支承側から開放側に向けて漸次上あがりとなるように形成したことを特徴とする。
【発明の効果】
【０００７】
本発明に係る商品収納ラックは、コラム扉の下端面が支承側から開放側に向けて漸次上あがりとなるように形成したので、コラム扉の閉め切り直前まで、コラム扉の下縁部の開放側端部が下フレームの上面に引っかかることがなく、コラム扉の閉め切り操作をスムーズに行うことができる。
【発明を実施するための最良の形態】
【０００８】
以下に添付図面を参照して、本発明に係る商品収納ラックの好適な実施例を詳細に説明する。なお、この実施例によりこの発明が限定されるものではない。
【実施例】
【０００９】
図１は本発明の実施例に係る商品収納ラックを示す正面図、図２は図１に示した商品収納ラックの側面図、図３は図１に示した商品収納ラックの側断面図、図４は図１のＡ−Ａ矢視図、図５はＢ−Ｂ矢視図、図６はコラム扉を開放した状態を示す拡大図、図７はコラム扉の閉め切り直前の状態を示す拡大図、図８はコラム扉の閉め切り状態を示す拡大図である。なお、これらの図において、左側のコラム扉は閉め切り状態にあるものとする。
【００１０】
本実施例に係る商品収納ラック１は、図１〜図３に示すように、左右一対の側板２，２と、側板２，２を相互に連結する上フレーム３と下フレーム４とにより、前面が開口した直方体形状の筐体を構成している。この商品収納ラック１は、仕切板５により内部が二つのコラム６，６に画成され、各コラム６，６には、図３に示すように、それぞれチェーンエレベータ式の商品収納装置７が収納してある。
【００１１】
チェーンエレベータ式の商品収納装置７は、図３に示すように、上部と下部とにスプロケット７１，７２が配設してあり、これらのスプロケット７１，７２の間には、プラスチックチェーン７３が架設してある。このプラスチックチェーン７３には、所定の取付ピッチごとにアタッチメント７４を介して商品棚７５が取り付けてある。そして、このプラスチックチェーン７３を図示せぬモータにより循環させることにより、商品棚７５は下方に移動し、商品棚７５に搭載した商品Ｓは商品収納ラック１の下方部から搬出されることになる。そして、商品を搬出した商品棚７５は、折り畳まれた後に上方に移動する。このようなチェーンエレベータ式の商品収納装置７によれば、収納状態において、商品Ｓと商品Ｓとが直接接触することがなく、商品棚７５の取付ピッチを変更することにより、小型の商品から比較的大型の商品まで収納可能である。
【００１２】
商品収納ラック１の前面開口部には、各コラム６に収納した商品Ｓの前面を規制するコラム扉８が設けてある。コラム扉８は、各側板２に取り付けてあり、左右両開き（いわゆる観音開き）が可能である。ここで、左側のコラム扉８と右側のコラム扉８とは、左右対称であるので、右側のコラム扉８を例に説明し、左側のコラム扉８については説明を省略する。
【００１３】
右側のコラム扉８の右側（以下、右側のコラム扉８において支承側という。）側縁部８Ａの上部、中央部および下部には、側方に延在するヒンジ部８１が形成してある。これらのヒンジ部８１は、右側の側板２の前縁側の上部、中央部および下部に形成した幅広な矩形の扉支承穴２１に挿通した後、側板２の前縁から扉支承穴の側縁に向けて円筒状に折り曲げて形成した扉支承軸２２に巻き付くように円筒状に折り曲げてある。したがって、コラム扉８は左右方向に開閉可能、かつ上下方向に昇降可能である。また、コラム扉８の支承側の側縁部８Ａは、ヒンジ部８１を形成した部分を除いて、手前側にヘミング曲げが施してある。ヘミング曲げは、１８０度折り返す折り曲げ加工であり、支承側の側縁部が二重となり、厚みと強度とを増している。
【００１４】
右側のコラム扉８の上縁部８Ｂは、Ｌ字状に折り曲げることにより奥方に延在し、延在した部分は、コラム扉を閉め切った場合に上フレーム３の開口縁部の上面と重なるようになっている。また、この奥方に延在した部分の開放側をさらに下方に折り曲げることにより、施錠爪８２が形成してある。施錠爪８２は、コラム扉８を閉め切ることによりコラム扉８が下降した場合に、上フレーム３の開口縁部の上面に形成した矩形の施錠穴３１に挿通してコラム扉８の開放を阻止可能である（施錠状態）。
【００１５】
右側のコラム扉８の左側（以下、右側のコラム扉９において開放側という。）の側縁部８Ｃは、支承側の側縁と同様に、手前側にヘミング曲げが施してある。したがって、支承側の側縁部８Ａと同様に、開放側の側縁部８Ｃも二重となり、厚みと強度とを増している。
【００１６】
右側のコラム扉８の下縁部８Ｄは、手前側にヘミング曲げが施してあり、その端面が支承側から開放側に向けて漸次上あがりとなるように形成してある。具体的には、コラム扉８の下端面が水平方向に対して２度の傾斜角を有するように、支承側から開放側に向けて傾斜している（図７参照）。
【００１７】
下フレーム４の開口縁部には、敷居部４１と施錠溝４２が形成してある。敷居部４１は、ヘミング曲げを施した板状部であり、その上面が開放状態から閉め切り直前までコラム扉８を支持可能である。また、施錠溝４２は、敷居部４１に沿って形成してあり、コラム扉８を閉め切った場合に、コラム扉８の下縁部８Ｄが沈降可能である。そして、コラム扉８の下縁部８Ｄが施錠溝４２に沈降した場合には、コラム扉８全体が下降することになる。また、沈降したコラム扉８の下縁部８Ｄは、下フレーム４の敷居部４１と当接係合してコラム扉８の開放を阻止可能である（施錠状態）。
【００１８】
上述した本実施例に係る商品収納ラック１のコラム扉８が、図６に示すように、開放状態にある場合には、コラム扉８のヒンジ部８１が扉支承軸２２に支承され、下縁部８Ｄの支承側が下フレーム４の敷居部４１の上面に支持されることになる。このコラム扉８を開放状態から閉塞操作すると、ヒンジ部８１が扉支承軸２２に支承され、下縁部８Ｄの支承側が下フレーム４の敷居部の上面に支持されたまま、図７に示すように、コラム扉８が閉塞方向に閉め切り直前の状態まで回動することになる。このとき（コラム扉の閉め切り直前の状態）、コラム扉８の下縁部８Ｄと下フレーム４の敷居部４１の上面との間には、支承側から開放側に漸次拡がる隙間を有することになる（図７参照）。
【００１９】
そして、コラム扉８をさらに閉操作すると、コラム扉８がさらに回動してコラム扉８の下縁部８Ｄが下フレーム４の施錠溝４２上に到達する。すると、図８に示すように、コラム扉８の下縁部８Ｄが施錠溝４２に沈降するとともに、コラム扉８の施錠爪８２が施錠穴３１に挿通することになる。このように、コラム扉８の下縁部８Ｄが下フレーム４の施錠溝４２に沈降すると、コラム扉８の下縁部８Ｄが下フレーム４の敷居部４１と当接係合して、コラム扉８を手前側に引いても開放しないことになる（施錠状態）。
【００２０】
この施錠状態からコラム扉８を開放する場合には、コラム扉８を上方に持ち上げることにより、コラム扉８の下縁部８Ｄを下フレーム４の施錠溝４２から脱出させて、コラム扉８の下縁部８Ｄと下フレーム４の敷居部４１との当接係合状態を解除した後に、手前側に引けばよい。
【００２１】
上述した本実施例に係る商品収納ラック１は、支承側から開放側に漸次上あがりとなるように、コラム扉８の下縁部８Ｄが傾斜するように形成したので、コラム扉８の開放状態から閉め切り直前の状態まで、コラム扉８の下縁部８Ｄの開放側が下フレーム４の敷居部４１に引っ掛かることがなく、コラム扉８をスムーズに閉め切る（施錠する）ことができる。
【００２２】
上述したように、チェーンエレベータ式の商品収納ラック１を本発明の実施例として説明したが、チェーンエレベータ式の商品収納ラックに限定されるものではなく、本発明は、直積み式の商品収納ラックにも適用可能である。
【産業上の利用可能性】
【００２３】
以上のように、本発明に係る商品収納ラックは、コラム扉を有する商品収納ラックに有用であり、特に、閉め切り操作によって、閉め切り位置でコラム扉を施錠する商品収納ラックに適している。
【図面の簡単な説明】
【００２４】
【図１】本発明の実施例に係る商品収納ラックを示す正面図である。
【図２】図１に示した商品収納ラックの側面図である。
【図３】図１に示した商品収納ラックの側断面図である。
【図４】図１のＡ−Ａ矢視図である。
【図５】図１のＢ−Ｂ矢視図である。
【図６】コラム扉を開放した状態を示す拡大図である。
【図７】コラム扉の閉め切り直前の状態を示す拡大図である。
【図８】コラム扉の閉め切り状態を示す拡大図である。
【符号の説明】
【００２５】
１    商品収納ラック
２    側板
３    上フレーム
４    下フレーム
５    仕切板
６    コラム
７    商品収納装置
８    コラム扉
８Ａ    側縁部
８Ｂ    上縁部
８Ｃ    側縁部
８Ｄ    下縁部
９    コラム扉
２１    扉支承穴
２２    扉支承軸
３１    施錠穴
４１    敷居部
４２    施錠溝
７１，７２    スプロケット
７３    プラスチックチェーン
７４    アタッチメント
７５    商品棚
８１    ヒンジ部
８２    施錠爪
Ｓ    商品
【図１】
2006251906.tif 000003
【図２】
2006251906.tif 000004
【図３】
2006251906.tif 000005
【図４】
2006251906.tif 000006
【図５】
2006251906.tif 000007
【図６】
2006251906.tif 000008
【図７】
2006251906.tif 000009
【図８】
2006251906.tif 000010